(57)【要約】      （修正有）【課題】ライセンスド帯域において通信可能であり、且つ、アンライセンスド帯域における干渉電力の測定結果に基づいて無線信号の送信を行う基地局とアンライセンスド帯域において通信可能なユーザ端末を提供する。【解決手段】ＵＥ１００は、ｅＮＢ２００の参照信号送信予定タイミング（ｔ２、ｔ５、ｔ８）及び異なるタイミング（ｔ１、ｔ３、ｔ４、ｔ６、ｔ７、ｔ９）でアンライセンスド帯域の干渉電力を測定する。ＵＥ１００は、異なるタイミングでの測定結果と参照信号送信予定タイミングでの測定結果とに基づいて、参照信号が送信されていないタイミング（ｔ５）を特定する。ＵＥ１００は、参照信号が送信されていないタイミングの測定結果を除外して、参照信号が送信されたタイミング（ｔ２、ｔ８）の測定結果をｅＮＢ２００に報告する。【選択図】図８
2019062542.tif 000002
【特許請求の範囲】
【請求項１】
ライセンスド帯域において通信可能であり、且つ、アンライセンスド帯域における干渉電力の測定結果に基づいて無線信号の送信を行う基地局と前記アンライセンスド帯域において通信可能なユーザ端末であって、
前記アンライセンスド帯域において所定の無線信号に対する測定を行い、当該所定の無線信号に対する測定結果を報告する制御部を備え、
前記制御部は、前記アンライセンスド帯域において前記基地局から参照信号が送信されていないタイミングを特定し、当該特定されたタイミングに対応する所定の測定結果を除外し、
前記ユーザ端末は、前記所定の無線信号に対する測定前に、前記参照信号の送信予定タイミングに関する予定情報を受信する受信部をさらに備え、
前記制御部は、前記予定情報に基づいて、前記送信予定タイミングで前記所定の無線信号に対する測定を行うと共に、前記送信予定タイミングと異なるタイミングで前記アンライセンスド帯域における干渉電力の測定を行い、
前記制御部は、前記異なるタイミングでの測定結果と前記送信予定タイミングでの測定結果とに基づいて、前記参照信号が送信されていないタイミングを特定することを特徴とするユーザ端末。
【請求項２】
前記異なるタイミングは、前記送信予定タイミングの前及びの後のタイミングの少なくとも一方であり、
前記制御部は、前記異なるタイミングでの測定結果である第１の受信レベルが前記送信予定タイミングでの測定結果である第２の受信レベルよりも所定値以上高い場合、前記送信予定タイミングを前記参照信号が送信されたタイミングとして特定する
請求項１に記載のユーザ端末。
【請求項３】
ライセンスド帯域において通信可能であり、且つ、アンライセンスド帯域における干渉電力の測定結果に基づいて無線信号の送信を行う基地局と前記アンライセンスド帯域において通信可能なユーザ端末に用いる通信方法であって、
前記アンライセンスド帯域において前記基地局から送信される参照信号の送信予定タイミングに関する予定情報を受信するステップＡと、
前記アンライセンスド帯域において所定の無線信号に対する測定を行うステップＢと、
前記所定の無線信号に対する測定結果を報告するステップＣと、を備え、
前記ステップＢにおいて、前記ユーザ端末は、
前記予定情報に基づいて、前記送信予定タイミングで前記所定の無線信号に対する測定を行うと共に、前記送信予定タイミングと異なるタイミングで前記アンライセンスド帯域における干渉電力の測定を行い、
前記異なるタイミングでの測定結果と前記送信予定タイミングでの測定結果とに基づいて、前記参照信号が送信されていないタイミングを特定し、
前記ステップＣにおいて、前記ユーザ端末は、前記特定されたタイミングに対応する所定の測定結果を除外する
通信方法。
【請求項４】
ライセンスド帯域において通信可能であり、且つ、アンライセンスド帯域における干渉電力の測定結果に基づいて無線信号の送信を行う基地局と、前記アンライセンスド帯域において通信可能なユーザ端末と、を有する通信システムであって、
前記ユーザ端末は、
前記アンライセンスド帯域において前記基地局から送信される参照信号の送信予定タイミングに関する予定情報を受信し、
前記予定情報に基づいて、前記送信予定タイミングで前記アンライセンスド帯域において所定の無線信号に対する測定を行うと共に、前記送信予定タイミングと異なるタイミングで前記アンライセンスド帯域における干渉電力の測定を行い、
前記異なるタイミングでの測定結果と前記送信予定タイミングでの測定結果とに基づいて、前記参照信号が送信されていないタイミングを特定し、
前記所定の無線信号に対する測定結果を報告する際に、前記特定されたタイミングに対応する所定の測定結果を除外する
通信システム。
【発明の詳細な説明】
【技術分野】
【０００１】
本出願は、ライセンスド帯域及びアンライセンスド帯域において通信可能なユーザ端末、通信方法及び通信システムに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、急増するトラフィック需要に応えるべく、ＬＴＥ（Ｌｏｎｇ  Ｔｅｒｍ  Ｅｖｏｌｕｔｉｏｎ）を高度化する仕様策定が進められている（例えば非特許文献１参照）。
【０００３】
また、急増するトラフィック需要に応えるために、免許を要する周波数帯域（ライセンスド帯域）を用いた通信だけでなく、免許不要な周波数帯域（アンライセンスド帯域（Ｕｎｌｉｃｅｎｓｅｄ  Ｂａｎｄ／Ｕｎｌｉｃｅｎｓｅｄ  Ｓｐｅｃｔｒｕｍ））を用いた通信が注目されている。
【０００４】
ここで、法律（例えば、日本における電波法）上、アンライセンスド帯域を用いて無線信号を送信する場合、無線信号を送信する前にＣＣＡ（Ｃｌｅａｒ  ｃｈａｎｎｅｌ  Ａｓｓｅｓｓｍｅｎｔ）を実行することが要求されている。具体的には、基地局は、アンライセンスド帯域における干渉電力を測定する。測定結果が良好な場合（具体的には、干渉電力が低い場合）、アンライセンスド帯域において無線信号を送信できる。
【先行技術文献】
【非特許文献】
【０００５】
【非特許文献１】３ＧＰＰ技術仕様書「ＴＳ３６．３００  Ｖ１２．４．０」  ２０１５年１月７日
【発明の概要】
【０００６】
一実施形態に係るユーザ端末は、ライセンスド帯域において通信可能であり、且つ、アンライセンスド帯域における干渉電力の測定結果に基づいて無線信号の送信を行う基地局と前記アンライセンスド帯域において通信可能である。前記ユーザ端末は、前記アンライセンスド帯域において所定の無線信号に対する測定を行い、当該所定の無線信号に対する測定結果を報告する制御部を備える。前記制御部は、前記アンライセンスド帯域において前記基地局から参照信号が送信されていないタイミングを特定し、当該特定されたタイミングに対応する所定の測定結果を除外する。前記ユーザ端末は、前記所定の無線信号に対する測定前に、前記参照信号の送信予定タイミングに関する予定情報を受信する受信部をさらに備える。前記制御部は、前記予定情報に基づいて、前記送信予定タイミングで前記所定の無線信号に対する測定を行うと共に、前記送信予定タイミングと異なるタイミングで前記アンライセンスド帯域における干渉電力の測定を行う。前記制御部は、前記異なるタイミングでの測定結果と前記送信予定タイミングでの測定結果とに基づいて、前記参照信号が送信されていないタイミングを特定する。
【図面の簡単な説明】
【０００７】
【図１】図１は、各実施形態に係るＬＴＥシステムの構成図である。
【図２】図２は、各実施形態に係るＵＥのブロック図である。
【図３】図３は、各実施形態に係るｅＮＢのブロック図である。
【図４】図４は、各実施形態に係るプロトコルスタック図である。
【図５】図５は、各実施形態に係る無線フレームの構成図である。
【図６】図６は、第１実施形態に係る動作を説明するための図である。
【図７】図７は、第２実施形態に係る動作を説明するための図である。
【図８】図８は、第３実施形態に係る動作を説明するための図である。
【図９】図９は、第４実施形態に係る動作を説明するための図である。
【図１０】図１０は、第４実施形態の変更例に係る動作を説明するための図である。
【図１１】図１１は、ＤＲＳ送信前のリッスン失敗を説明するための図である。
【図１２】図１２は、ＬＡＡ  ＤＲＳ  ＲＳＲＰ測定を説明するための図である。
【図１３】図１３は、既存のチャネルマッピング（左）及び提案するチャネルマッピングの一例（右）を説明するための図である。
【発明を実施するための形態】
【０００８】
［実施形態の概要］
ここで、ユーザ端末が、アンライセンスド帯域において基地局から送信された参照信号に対する測定を行うことを想定する。ユーザ端末が当該測定結果を基地局に報告することによって、基地局は、アンライセンスド帯域において当該ユーザ端末との通信の可否又は通信品質の測定を行うことができる。
【０００９】
しかしながら、基地局は、干渉電力の測定結果が悪い場合には、参照信号を送信できない。このため、ユーザ端末は、参照信号の送信予定タイミングを知っていたとしても、参照信号が送信されていないのか、参照信号が送信されたが干渉により参照信号を受信できなかったのか判定できない。その結果、参照信号に対する適切な測定結果を取得できない虞がある。
【００１０】
そこで、本出願は、アンライセンスド帯域における参照信号に対する適切な測定結果を取得可能とすることを目的とする。
【００１１】
実施形態に係る基地局は、アンライセンスド帯域において参照信号を送信する送信部と、前記アンライセンスド帯域における無線信号の測定結果をユーザ端末から受信する受信部と、前記測定結果から、前記アンライセンスド帯域において前記参照信号が送信されていないタイミングで測定された測定値を除外する制御部と、を備える。
【００１２】
前記受信部は、前記基地局が１つの参照信号を送信する機会毎に１つの測定結果を送信する前記ユーザ端末から、前記測定結果を受信してもよい。
【００１３】
第４実施形態に係る基地局は、ライセンスド帯域及びアンライセンスド帯域において通信可能なユーザ端末と前記アンライセンスド帯域において通信可能である。前記基地局は、前記アンライセンスド帯域における干渉電力を測定する制御部と、前記干渉電力の測定結果に基づいて、前記アンライセンスド帯域において参照信号を送信する送信部と、前記干渉電力の測定結果に基づいて前記参照信号が送信されなかったタイミングに関する送信記録を保持する記憶部と、を備る。前記制御部は、前記参照信号に対する測定結果を前記ユーザ端末から報告された場合、前記送信記録に基づいて、前記参照信号に対する測定結果から、前記参照信号が送信されていないタイミングに対応する所定の測定結果を除外する。
【００１４】
第４実施形態の変更例では、前記送信部は、前記アンライセンスド帯域における干渉電力の測定を前記基地局と同じタイミングで前記ユーザ端末に実行させるための設定情報を前記ユーザ端末に送信する。前記制御部は、前記ユーザ端末における前記干渉電力の測定結果を取得し、自局における前記干渉電力の測定結果と前記ユーザ端末における前記干渉電力の測定結果とに基づいて、前記ユーザ端末へ送信するデータのエラー耐性を決定する。
【００１５】
第４実施形態の変更例では、前記制御部は、前記データを送信する直前に前記アンライセンスド帯域における干渉電力を測定する。前記自局における前記干渉電力の測定結果は、前記参照信号の送信直前に測定された前記干渉電力の測定結果だけでなく、前記データの送信直前に測定された前記干渉電力の測定結果も含む。
【００１６】
各実施形態に係るユーザ端末は、ライセンスド帯域において通信可能であり、且つ、アンライセンスド帯域における干渉電力の測定結果に基づいて無線信号の送信を行う基地局と前記アンライセンスド帯域において通信可能である。前記ユーザ端末は、前記アンライセンスド帯域において所定の無線信号に対する測定を行い、当該所定の無線信号に対する測定結果を報告する制御部を備える。前記制御部は、前記アンライセンスド帯域において前記基地局から参照信号が送信されていないタイミングを特定し、当該特定されたタイミングに対応する所定の測定結果を除外する。
【００１７】
第１実施形態に係るユーザ端末は、前記基地局から送信される前記参照信号に関する信号系列を特定するための信号系列情報を記憶する記憶部をさらに備える。前記制御部は、前記所定の無線信号の信号系列と前記信号系列情報に基づいて特定された信号系列との相関値が閾値未満である場合、前記所定の無線信号が送信されたタイミングを、前記参照信号が送信されていないタイミングとして特定する。
【００１８】
第２実施形態に係るユーザ端末は、前記参照信号が送信されたタイミングに関する送信情報を受信する受信部をさらに備える。前記制御部は、前記送信情報に基づいて、前記参照信号が送信されていないタイミングを特定する。
【００１９】
第３実施形態に係るユーザ端末は、前記所定の無線信号に対する測定前に、前記参照信号の送信予定タイミングに関する予定情報を受信する受信部をさらに備える。前記制御部は、前記予定情報に基づいて、前記送信予定タイミングで前記所定の無線信号に対する測定を行うと共に、前記送信予定タイミングと異なるタイミングで前記アンライセンスド帯域における干渉電力の測定を行う。前記制御部は、前記異なるタイミングでの測定結果と前記送信予定タイミングでの測定結果とに基づいて、前記参照信号が送信されていないタイミングを特定する。
【００２０】
第３実施形態では、前記異なるタイミングは、前記送信予定タイミングの前及びの後のタイミングの少なくとも一方である。前記制御部は、前記異なるタイミングでの測定結果である第１の受信レベルが前記送信予定タイミングでの測定結果である第２の受信レベルよりも所定値以上高い場合、前記送信予定タイミングを前記参照信号が送信されたタイミングとして特定する。
【００２１】
［第１実施形態］
以下において、本出願の内容をＬＴＥシステムに適用する場合の実施形態を説明する。
【００２２】
（システム構成）
図１は、実施形態に係るＬＴＥシステムの構成図である。図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２３】
ＵＥ１００は、ユーザ端末に相当する。ＵＥ１００は、移動型の通信装置であり、接続先のセル（サービングセル）との無線通信を行う。ＵＥ１００の構成については後述する。
【００２４】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００２５】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００２６】
ＥＰＣ２０は、コアネットワークに相当する。Ｅ−ＵＴＲＡＮ１０及びＥＰＣ２０によりＬＴＥシステムのネットワーク（ＬＴＥネットワーク）が構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＥＰＣ２０は、ＯＡＭ（Ｏｐｅｒａｔｉｏｎ  ａｎｄ  Ｍａｉｎｔｅｎａｎｃｅ）を含んでもよい。
【００２７】
ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００２８】
ＯＡＭは、オペレータによって管理されるサーバ装置であり、Ｅ−ＵＴＲＡＮ１０の保守及び監視を行う。
【００２９】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。ＵＥ１００は、ＧＮＳＳ受信機１３０を有していなくてもよい。また、メモリ１５０をプロセッサ１６０と一体化し、このセット（すなわち、チップセット）を制御部を構成するプロセッサ１６０’としてもよい。
【００３０】
アンテナ１０１及び無線送受信機１１０は、無線信号の送受信に用いられる。無線送受信機１１０は、プロセッサ１６０が出力するベースバンド信号（送信信号）を無線信号に変換してアンテナ１０１から送信する。また、無線送受信機１１０は、アンテナ１０１が受信する無線信号をベースバンド信号（受信信号）に変換してプロセッサ１６０に出力する。
【００３１】
無線送受信機１１０は、無線送受信機１１０Ａ及び無線送受信機１１０Ｂを有する。無線送受信１１０Ａは、ライセンスド帯域において無線信号を送受信し、無線送受信１１０Ｂは、アンライセンスド帯域において無線信号を送受信する。
【００３２】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給する電力を蓄える。
【００３３】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、制御部に相当し、後述する各種の処理及び各種の通信プロトコルを実行する。
【００３４】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。なお、メモリ２３０をプロセッサ２４０と一体化し、このセット（すなわち、チップセット）を制御部を構成するプロセッサ２４０’としてもよい。
【００３５】
アンテナ２０１及び無線送受信機２１０は、無線信号の送受信に用いられる。無線送受信機２１０は、ライセンスド帯域において無線信号を送受信する。或いは、無線送受信機２１０は、ライセンスド帯域だけでなくアンライセンスド帯域において無線信号を送受信できてもよい。無線送受信機２１０は、プロセッサ２４０が出力するベースバンド信号（送信信号）を無線信号に変換してアンテナ２０１から送信する。また、無線送受信機２１０は、アンテナ２０１が受信する無線信号をベースバンド信号（受信信号）に変換してプロセッサ２４０に出力する。
【００３６】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００３７】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、制御部に相当し、後述する各種の処理及び各種の通信プロトコルを実行する。
【００３８】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３９】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００４０】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）、ＵＥ１００への割当リソースブロックを決定（スケジューリング）するスケジューラを含む。
【００４１】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００４２】
ＰＤＣＰ層は、ヘッダ圧縮・伸張、及び暗号化・復号化を行う。
【００４３】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００４４】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００４５】
図５は、ＬＴＥシステムで使用される無線フレームの構成図である。ＬＴＥシステムは、下りリンク（ＤＬ）にはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンク（ＵＬ）にはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００４６】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。ＵＥ１００に割り当てられる無線リソースのうち、周波数リソースはリソースブロックにより構成され、時間リソースはサブフレーム（又はスロット）により構成される。
【００４７】
（アンライセンスド帯域を利用した通信）
以下において、本実施形態に係るアンライセンスド帯域を利用した通信について説明する。
【００４８】
ＵＥ１００は、セルラネットワークオペレータに免許が付与されたライセンスド帯域（Ｌｉｃｅｎｓｅｄ  ｂａｎｄ／Ｌｉｃｅｎｓｅｄ  ｓｐｅｃｔｒｕｍ）だけでなく、免許不要で利用できるアンライセンスド帯域（Ｕｎｌｉｃｅｎｓｅｄ  Ｂａｎｄ／Ｕｎｌｉｃｅｎｓｅｄ  ｓｐｅｃｔｒｕｍ）を利用した通信を行うことができる。
【００４９】
具体的には、第１に、ＵＥ１００は、キャリアアグリゲーション（Ｃａｒｒｉｅｒ  Ａｇｇｒｅｇａｔｉｏｎ：ＣＡ）によって、アンライセンスド帯域を利用した通信を行うことができる。
【００５０】
ＣＡでは、ＬＴＥとの後方互換性を確保しながら広帯域化を実現すべく、ＬＴＥにおけるキャリア（周波数帯）をコンポーネントキャリアと位置付け、ＵＥ１００が複数のコンポーネントキャリア（複数のサービングセル）を同時に使用して通信を行う。ＣＡにおいて、ＵＥがＲＲＣ接続を開始する際に所定の情報の提供を行うセルはプライマリセル（ＰＣｅｌｌ）と称される。例えば、プライマリセルは、ＲＲＣ接続確立／再確立／ハンドオーバ時にＮＡＳモビリティ情報（例えば、ＴＡＩ）の提供を行ったり、ＲＲＣ接続再確立／ハンドオーバ時にセキュリティ情報の提供を行ったりする。一方、プライマリセルと対をなす補助的なサービングセルはセカンダリセル（ＳＣｅｌｌ）と称される。セカンダリセルは、プライマリセルと一緒に形成される。
【００５１】
アンライセンスド帯域を利用した通信にＣＡを利用する場合、アンライセンスド帯域内の所定周波数（キャリア）をセカンダリセルとして利用するケースがある。以下において、所定周波数をセカンダリセルとして利用する場合、当該セカンダリセルは、Ｕ−ＳＣｅｌｌと称される。
【００５２】
第２に、ＵＥ１００は、二重接続方式（Ｄｕａｌ  Ｃｏｎｎｅｃｔｉｖｉｔｙ：ＤＣ）によって、アンライセンスド帯域を利用した通信を行うことができる。
【００５３】
ＤＣでは、ＵＥ１００には、複数のｅＮＢ２００から無線リソースが割り当てられる。ＤＣは、ｅＮＢ間キャリアアグリゲーション（ｉｎｔｅｒ−ｅＮＢ  ＣＡ）と称されることもある。
【００５４】
ＤＣでは、ＵＥ１００との接続を確立する複数のｅＮＢ２００のうち、マスタｅＮＢ（ＭｅＮＢ）のみが当該ＵＥ１００とのＲＲＣ接続を確立する。これに対し、当該複数のｅＮＢ２００のうちセカンダリｅＮＢ（ＳｅＮＢ）は、ＲＲＣ接続をＵＥ１００と確立せずに、追加的な無線リソースをＵＥ１００に提供する。ＭｅＮＢとＳｅＮＢとの間にはＸｎインターフェイスが設定される。Ｘｎインターフェイスは、Ｘ２インターフェイス又は新たなインターフェイスである。
【００５５】
ＤＣでは、ＵＥ１００は、ＭｅＮＢが管理するＮ個のセル及びＳｅＮＢが管理するＭ個のセルを同時に利用したキャリアアグリゲーションが可能である。また、ＭｅＮＢが管理するＮ個のセルからなるグループは、マスタセルグループ（ＭＣＧ）と称される。また、ＳｅＮＢが管理するＭ個のセルからなるグループは、セカンダリセルグループ（ＳＣＧ）と称される。また、ＳｅＮＢが管理するセルのうち、少なくとも上りリンクの制御信号（ＰＵＣＣＨ）の受信機能を持つセルは、ＰＳＣｅｌｌと称される。ＰＳＣｅｌｌは、ＰＣｅｌｌと同様のいくつかの機能を有するが、例えば、ＵＥ１００とＲＲＣ接続を行わず、ＲＲＣメッセージを送信しない。なお、アンライセンスド帯域における所定周波数（キャリア）がＳＣｅｌｌとして利用される場合には、当該ＳＣｅｌｌは、Ｕ−ＳＣｅｌｌと称され、ＰＳＣｅｌｌとして利用される場合には、当該ＳＣｅｌｌは、Ｕ−ＰＳＣｅｌｌと称される。
【００５６】
ここで、アンライセンスド帯域を利用した通信の一形態として、ＬＡＡ（ＬＡＡ：Ｌｉｃｅｎｓｅｄ−Ａｓｓｉｔｅｄ  Ａｃｃｅｓｓ）を利用することが想定される。ＬＡＡでは、ＵＥ１００は、ライセンスド帯域で運用されるセル（以下、ライセンスドセル）とアンライセンスド帯域で運用されるセル（以下、アンライセンスドセル）と通信を行う。ライセンスドセルは、ＰＣｅｌｌとして使用され、アンライセンスドセルは、ＳＣｅｌｌ（又はＰＳＣｅｌｌ）として使用されてもよい。ＵＥ１００がライセンスドセル及びアンライセンスドセルと通信を行う場合、当該ライセンスドセル及び当該アンライセンスドセルは、１つのノード（例えば、ｅＮＢ２００）によって管理されていてもよい。なお、当該ライセンスドセル及び当該アンライセンスドセルは、１つのｅＮＢ２００によって管理（制御）されている場合、アンライセンスドセル（及びライセンスドセル）は、無線送受信機を有するＲＲＨ（Ｒｅｍｏｔｅ  Ｒａｄｉｏ  Ｈｅａｄ）によって形成されてもよい。或いは、ライセンスセルは、ｅＮＢ２００に管理され、アンライセンスドセルは、当該ｅＮＢ２００とは異なる無線通信装置に管理されていてもよい。ｅＮＢ２００と当該無線通信装置とは、所定のインターフェイス（Ｘ２インターフェイス又はＳ１インターフェイス）を介して後述する各種情報のやり取りを行うことができる。ライセンスセルを管理するｅＮＢ２００は、ＵＥ１００から取得した情報を無線通信装置に通知してもよいし、無線通信装置から取得した情報をＵＥ１００に通知してもよい。
【００５７】
アンライセンスド帯域においては、ＬＴＥシステムとは異なるシステム（無線ＬＡＮ等）又は他のオペレータのＬＴＥシステムとの干渉を回避するために、無線信号を送信する前にＣＣＡ（Ｃｌｅａｒ  ｃｈａｎｎｅｌ  Ａｓｓｅｓｓｍｅｎｔ）を実行すること（いわゆる、ＬＢＴ（Ｌｉｓｔｅｎ  Ｂｅｆｏｒ  Ｔａｌｋ））が要求されている。具体的には、ＣＣＡでは、ｅＮＢ２００は、アンライセンスド帯域内の周波数（キャリア）が空いているか否かを確認するために、干渉電力を測定する。ｅＮＢ２００は、干渉電力の測定結果に基づいて、空きチャネルであることが確認された周波数（キャリア）に含まれる無線リソースをＵＥ１００に割り当てる（スケジューリング）。ｅＮＢ２００は、アンライセンスドセルを介して、アンライセンスドセルにおけるスケジューリングを行う。或いは、ｅＮＢ２００は、ライセンスドセルを介して、アンライセンスドセルにおけるスケジューリングを行ってもよい（すなわち、クロスキャリアスケジューリング）。
【００５８】
以下において、ｅＮＢ２００による動作を、ｅＮＢ２００が管理するセルによる動作として適宜説明する。また、以下において、１つのｅＮＢ２００がライセンスド帯域における周波数（ライセンスドセル）及びアンライセンスド帯域における周波数（アンライセンスドセル）によってＵＥ１００と通信を行うケースを中心に説明するが、これに限られないことに留意すべきである。
【００５９】
（第１実施形態に係る動作）
次に、第１実施形態に係る動作について、図６を用いて説明する。図６は、第１実施形態に係る動作を説明するための図である。
【００６０】
図６において、ＵＥ１００は、ｅＮＢ２００が管理するＰＣｅｌｌ（ライセンスドセル）に在圏している。ＵＥ１００は、ＲＲＣアイドル状態であってもよいし、ＲＲＣコネクティッド状態であってもよい。図６の初期状態において、ＵＥ１００は、ｅＮＢ２００が管理するＵ−ＳＣｅｌｌ（アンライセンスドセル）との通信を開始していない。或いは、ＵＥ１００は、Ｕ−ＳＣｅｌとの通信を行っていてもよい。
【００６１】
図６に示すように、ステップＳ１０１において、ＰＣｅｌｌ（ｅＮＢ２００）は、信号系列情報を送信する。信号系列情報は、共通信号（例えば、ＳＩＢ、ＰＤＣＣＨ）によって送信されてもよいし、個別信号（例えば、ＰＤＳＣＨ）によって送信されてもよい。ＵＥ１００は、受信した信号系列情報をメモリ１５０に記憶する。
【００６２】
信号系列情報は、Ｕ−ＳＣｅｌｌ（ｅＮＢ２００）から送信される参照信号に関する信号系列を特定するための情報である。参照信号は、例えば、発見参照信号（ＤＲＳ：Ｄｉｓｃｏｖｅｒｙ  Ｒｅｆｅｒｅｎｃｅ  ｓｉｇｎａｌ）である。ＤＲＳは、同期信号（プライマリ同期信号（ＰＳＳ）及び／又はセカンダリ同期信号（ＳＳＳ））、セル参照信号、チャネル状態情報参照信号（ＣＳＩ−ＲＳ）、下りリンクにおける復調参照信号（ＤＬ−ＤＭＲＳ）の少なくともいずれかの信号を含む。従って、ＤＲＳは、セルの識別、同期、チャネル状況の観測の少なくともいずれかに用いられる。
【００６３】
また、信号系列情報は、サブフレーム番号、セル識別子（Ｃｅｌｌ  ＩＤ）、ＣＳＩ識別子（ＣＳＩ  ＩＤ）などである。ＵＥ１００は、信号系列情報に基づいて、Ｕ−ＳＣｅｌｌから送信される参照信号の信号系列を算出する。
【００６４】
ステップＳ１０２において、Ｕ−ＳＣｅｌｌ（ｅＮＢ２００）は、参照信号（ＤＲＳ）を送信する。参照信号は、Ｕ−ＳＣｅｌｌが運用される特定周波数（キャリア）を用いて送信される。ここで、ｅＮＢ２００は、参照信号が送信される前に、特定周波数において干渉電力の測定を行う。
【００６５】
なお、ｅＮＢ２００は、参照信号を周期的に（例えば、Ｘｍｓ間隔で）送信するように設定されている。しかしながら、ｅＮＢ２００は、アンライセンスド帯域内の所定周波数における干渉電力を測定した結果、干渉電力が閾値を超えていた場合（干渉を検知した場合）、無線信号の送信を中止する。従って、ｅＮＢ２００が無線信号を設定通りに送信できない期間が存在し得る。
【００６６】
以下において、干渉電力が閾値未満であると仮定して説明を進める。
【００６７】
ＵＥ１００は、アンライセンスド帯域における無線信号に対する測定（Ｍｅａｓｕｒｅｍｅｎｔ）を行う。ＵＥ１００は、ＰＣｅｌｌからＤＲＳの送信タイミングに関する情報及び／又はＵ−ＳＣｅｌｌが運用される特定周波数を示す情報を受信し、当該情報に基づいて、測定を行ってもよい。
【００６８】
ここで、ＵＥ１００は、取得した測定結果がＤＲＳに対する測定結果であるかを確認する。まず、ＵＥ１００は、測定中に受信した無線信号の信号系列を算出し、この信号系列と信号系列情報に基づいて算出された信号系列との相関値を求める。次に、ＵＥ１００は、求められた相関値が閾値未満であるか否かを判定する。ＵＥ１００は、相関値が閾値未満である場合、測定中に受信した無線信号がＵ−ＳＣｅｌｌから送信された参照信号でないと判定する。この場合、ＵＥ１００は、測定したタイミングを参照信号が送信されていないタイミングとして特定する。一方、ＵＥ１００は、相関値が閾値以上である場合、受信した無線信号がＵ−ＳＣｅｌｌから送信された参照信号であると判定する。この場合、ＵＥ１００は、測定したタイミングを参照信号が送信されたタイミングとして特定する。なお、閾値は、ＵＥ１００が予め保持していてもよいし、ｅＮＢ２００から提供されてもよい。
【００６９】
ＵＥ１００は、測定したタイミングを参照信号が送信されていないタイミングとして特定した場合、測定結果を記憶しなくてもよい。これにより、参照信号が送信されていないタイミングに対応する測定結果を報告対象から除外することができる。或いは、ＵＥ１００は、無線信号に対する測定値と測定時間とを関連付けて記憶し、ＵＥ１００は、測定結果を報告する前に上記判定を行って、参照信号が送信されていないタイミングに対応する測定結果を報告対象から除外してもよい。
【００７０】
ステップＳ１０３において、ＵＥ１００は、アンライセンスド帯域における無線信号に対する測定結果をＰＣｅｌｌに送信する。測定結果は、受信レベル（ＲＳＲＰ／ＲＳＲＱ）に関する結果であってもよいし、チャネル状態に関する結果（具体的には、ＣＳＩ、ＰＭＩ、ＲＩなど）であってもよい。
【００７１】
ＵＥ１００は、参照信号が送信されていないタイミングに対応する測定結果を報告対象から除外しているため、測定結果は、参照信号が送信されていないタイミングで測定された測定結果を含まない。このため、ｅＮＢ２００（ＰＣｅｌｌ）は、測定結果に基づいて、アンライセンスド帯域においてＵＥ１００と通信に関して適切に判定できる。例えば、ｅＮＢ２００は、測定結果に基づいて、ＰＳＣｅｌｌと通信（接続）可能か否かを判定したり、ＰＳＣｅｌｌにおける通信品質を算出したりすることが可能となる。
【００７２】
［第２実施形態］
次に、第２実施形態に係る動作について、図７を用いて説明する。図７は、第２実施形態に係る動作を説明するための図である。上述した実施形態と同様の部分は、説明を適宜省略する。
【００７３】
第２実施形態では、ＵＥ１００は、ｅＮＢ２００から受信した情報に基づいて、参照信号が送信されていないタイミングに対応する測定結果を報告対象から除外する。
【００７４】
図７に示すように、ステップＳ２０１において、Ｕ−ＳＣｅｌｌ（ｅＮＢ２００）は、Ｕ−ＳＣｅｌｌが運用される特定周波数において干渉電力の測定（ＣＣＡ）を行う。ここでは、干渉電力が閾値未満であると仮定して説明を進める。
【００７５】
ステップＳ２０２において、Ｕ−ＳＣｅｌｌは、特定周波数においてＤＲＳを送信する。
【００７６】
ステップＳ２０３において、ＵＥ１００は、特定周波数において無線信号に対する測定を行う。ＵＥ１００は、測定結果（第１の測定結果）を記憶する。測定結果は、測定時間と関連づけて記憶される。
【００７７】
ステップＳ２０４において、Ｕ−ＳＣｅｌｌは、ステップＳ２０１におけるＣＣＡを行ってから所定時間経過した後、干渉電力の測定を行う。ここでは、干渉電力が閾値以上であると仮定して説明を進める。この場合、Ｕ−ＳＣｅｌｌは、ＤＲＳの送信を中止する。
【００７８】
ステップＳ２０５において、ＵＥ１００は、特定周波数において無線信号に対する測定を行い、測定結果（第２の測定結果）を記憶する。
【００７９】
ステップＳ２０６において、Ｕ−ＳＣｅｌｌは、ステップＳ２０４におけるＣＣＡを行ってから所定時間経過した後、干渉電力の測定を行う。ここでは、干渉電力が閾値未満であると仮定して説明を進める。
【００８０】
ステップＳ２０７において、Ｕ−ＳＣｅｌｌは、特定周波数においてＤＲＳを送信する。
【００８１】
ステップＳ２０８において、ＵＥ１００は、特定周波数において無線信号に対する測定を行い、測定結果（第３の測定結果）を記憶する。
【００８２】
ステップＳ２０９において、ＰＣｅｌｌは、参照信号が送信されたタイミングに関する送信情報（ｔｒａｎｓｍｉｓｓｉｏｎ  ｉｎｆｏｒｍａｔｉｏｎ）を送信する。ＵＥ１００は、送信情報を受信する。送信情報は、共通信号（例えば、ＳＩＢ、ＰＤＣＣＨ）によって送信されてもよいし、個別信号（例えば、ＰＤＳＣＨ）によって送信されてもよい。
【００８３】
送信情報は、参照信号が送信されたタイミングを示す情報であってもよいし、参照信号が送信されなかったタイミングを示す情報であってもよい。例えば、送信情報は、サブフレーム番号のリストであってもよい。また、送信情報は、参照信号が送信されなかったタイミングに対応する測定結果の削除を要求するメッセージに含まれていてもよい。
【００８４】
ｅＮＢ２００は、参照信号が送信されたタイミング及び参照信号が送信されなかったタイミングの少なくとも一方を記憶する。なお、参照信号が送信されなかったタイミングは、参照信号の送信が予定されたタイミングで、且つ、干渉電力の測定結果に基づいて、参照信号が送信できなかったタイミングであってもよい。
【００８５】
一方、ＵＥ１００は、送信情報に基づいて、参照信号が送信されていないタイミングを特定する。ＵＥ１００は、特定したタイミングに対応する測定結果を報告対象から除外する。本実施形態において、送信情報は、ステップＳ２０４の後の参照信号の送信が予定されたタイミングを示すと仮定する。ＵＥ１００は、送信情報によって示されるタイミングに対応する第２の測定結果を報告対象から除外する。
【００８６】
ＵＥ１００は、送信情報の受信をトリガとして、測定結果を報告対象から除外する動作を行ってもよいし、測定結果を報告するための動作を開始したことをトリガとして、測定結果を報告対象から除外する動作を行ってもよい。
【００８７】
ステップＳ２１０において、ＵＥ１００は、測定結果をＰＣｅｌｌに送信する。測定結果は、第１の測定結果及び第３の測定結果を含み、参照信号に対する測定結果でない第２の測定結果を含まない。これにより、ｅＮＢ２００は、適切な測定結果を取得できる。従って、ｅＮＢ２００は、測定結果に基づいて、アンライセンスド帯域における通信に関して適切に判定できる。
【００８８】
なお、本実施形態において、送信情報は、参照信号に関する複数のタイミングを示していたが、これに限られない。送信情報は、ＤＲＳが送信されなかった度にＵＥ１００に送信されてもよいし、ＤＲＳが送信される度にＵＥ１００に送信されてもよい。
【００８９】
［第３実施形態］
次に、第３実施形態に係る動作について、図８を用いて説明する。図８は、第３実施形態に係る動作を説明するための図である。上述した各実施形態と同様の部分は、説明を適宜省略する。
【００９０】
第３実施形態では、ＵＥ１００は、干渉電力の測定結果に基づいて、参照信号が送信されていないタイミングに対応する測定結果を報告対象から除外する。
【００９１】
図８（Ａ）に示すように、ＵＥ１００の近傍には、第１の無線通信装置（ＷＴ４００−１）が存在し、ｅＮＢ２００の近傍には、第２の無線通信装置（ＷＴ４００−２）が存在する。ＷＴ４００−１及びＷＴ４００−２は、アンライセンスド帯域における特定周波数において無線信号を送信する（図８（Ｂ）参照）。
【００９２】
また、ｅＮＢ２００は、参照信号の送信予定タイミングに関する設定情報を送信する。ＵＥ１００は、参照信号の送信予定タイミングに関する設定情報を受信する。設定情報は、特定周波数における参照信号に対する測定タイミングを指定する情報であってもよい。設定情報は、共通信号（例えば、ＳＩＢ、ＰＤＣＣＨ）によって送信されてもよいし、個別信号（例えば、ＰＤＳＣＨ）によって送信されてもよい。ＵＥ１００は、設定情報に基づいて、参照信号の送信予定タイミングで特定周波数における参照信号に対する測定を行う。
【００９３】
さらに、ＵＥ１００は、参照信号の送信予定タイミングと異なるタイミングで、特定周波数における干渉電力の測定（ＣＣＡの実行）を行う。異なるタイミングは、送信予定タイミングの前及び後のタイミングの少なくとも一方である。異なるタイミングは、参照信号に対する測定を行うタイミングよりも所定時間前のタイミング及び／又は所定時間後のタイミングであってもよい。異なるタイミングは、ｅＮＢ２００が干渉電力を測定するタイミングと同じタイミングであってもよい。本実施形態において、ＵＥ１００は、送信予定タイミングの前及び後のタイミングで干渉電力の測定を行う（図８（Ｂ）参照）。
【００９４】
図８（Ｂ）に示すように、ｔ１からｔ３において、ＷＴ４００−１は、特定周波数において無線信号の送信を行っている。ｔ４からｔ６において、ＷＴ４００−２は、特定周波数において無線信号の送信を行っている。
【００９５】
ｔ１において、ｅＮＢ２００及びＵＥ１００は、干渉電力の測定を行う。ｅＮＢ２００は、ＷＴ４００−１から遠いため、ｅＮＢ２００における干渉電力が閾値未満である。その結果、ｅＮＢ２００は、ｔ２において参照信号を送信すると決定する。
【００９６】
ｔ２において、ｅＮＢ２００は、特定周波数において参照信号を送信する。ＵＥ１００は、特定周波数における測定を行う。
【００９７】
ｔ３において、ＵＥ１００は、干渉電力の測定を行う。
【００９８】
ｔ４において、ｅＮＢ２００及びＵＥ１００は、干渉電力の測定を行う。ｅＮＢ２００は、ＷＴ４００−２から近いため、ｅＮＢ２００における干渉電力が閾値以上である。その結果、ｅＮＢ２００は、ｔ５において参照信号を送信しないと決定する。
【００９９】
ｔ５において、ｅＮＢ２００が参照信号を送信しないが、ＵＥ１００は、特定周波数における測定を行う。
【０１００】
ｔ６において、特定周波数における測定を行う。
【０１０１】
ｔ７からｔ９において、ｅＮＢ２００及びＵＥ１００は、ｔ１からｔ３と同様に動作する。
【０１０２】
図８（Ｂ）におけるＣＣＡ結果は、ＵＥ１００における測定結果（測定値：受信レベル）を示す。
【０１０３】
次に、ＵＥ１００は、異なるタイミングでの測定結果（具体的には、ｔ１、ｔ３、ｔ４、ｔ６、ｔ７、ｔ９）と送信予定タイミングでの測定結果（具体的には、ｔ２、ｔ５、ｔ８）とに基づいて、参照信号が送信されていないタイミングを特定する。
【０１０４】
ＵＥ１００は、ｔ２における受信レベルがｔ１（ｔ３）における受信レベルよりも所定値以上高いため（すなわち、ｔ２の受信レベル−ｔ１（ｔ３）の受信レベル＞所定値であるため）、ｅＮＢ２００が参照信号を送信したと推測する。従って、ＵＥ１００は、ｔ２のタイミングと参照信号が送信されたタイミングとして特定する。
【０１０５】
また、ＵＥ１００は、ｔ５における受信レベルがｔ４（ｔ６）における受信レベルよりも所定値以上高くないため（すなわち、ｔ５の受信レベル−ｔ４（ｔ６）の受信レベル＜所定値であるため）、ｅＮＢ２００が参照信号を送信していないと推測する。従って、ＵＥ１００は、ｔ２のタイミングと参照信号が送信されていないタイミングとして特定する。
【０１０６】
また、ＵＥ１００は、ｔ８における受信レベルがｔ７（ｔ９）における受信レベルよりも所定値以上高いため（すなわち、ｔ８の受信レベル−ｔ７（ｔ９）の受信レベル＞所定値であるため）、ｅＮＢ２００が参照信号を送信したと推測する。従って、ＵＥ１００は、ｔ２のタイミングと参照信号が送信されたタイミングとして特定する。
【０１０７】
以上より、ＵＥ１００は、ｔ５における測定結果を報告対象から除外し、ｔ２及びｔ８における測定結果をｅＮＢ２００に報告する。従って、ｅＮＢ２００は、測定結果に基づいて、アンライセンスド帯域における通信に関して適切に判定できる。
【０１０８】
［第４実施形態］
（第４実施形態に係る動作）
次に、第４実施形態に係る動作について、図９を用いて説明する。図９は、第４実施形態に係る動作を説明するための図である。上述した各実施形態と同様の部分は、説明を適宜省略する。
【０１０９】
第４実施形態では、ｅＮＢ２００が、参照信号の送信記録に基づいて、測定結果を除外する。
【０１１０】
図９における動作環境は、第１実施形態（図６）における動作環境と同様である。
【０１１１】
ステップＳ３０１からＳ３０８は、ステップＳ２０１からＳ２０８に対応する。
【０１１２】
ステップＳ３０９において、ＵＥ１００は、測定結果をＰＣｅｌｌに送信する。ここでの測定結果は、第１の測定結果及び第３の測定結果だけでなく、第２の測定結果も含む。
【０１１３】
ここで、本実施形態では、ｅＮＢ２００は、第２実施形態と同様に、参照信号が送信されたタイミング及び参照信号が送信されなかったタイミングの少なくとも一方を記憶する。具体的には、ｅＮＢ２００は、参照信号が送信されなかったタイミングに関する送信記録を保持する。具体的には、ｅＮＢ２００は、参照信号が送信されたタイミング及び参照信号が送信されなかったタイミングの少なくとも一方を送信記録に残す。本実施形態では、ｅＮＢ２００は、ステップＳ３０４の測定結果によって参照信号が送信されなかったタイミングを送信記録に残す。
【０１１４】
ステップＳ３１０において、ＰＣｅｌｌ（ｅＮＢ２００）は、ＵＥ１００から報告された測定結果から、参照信号が送信されていないタイミングに対応する測定結果を除外する。本実施形態では、ｅＮＢ２００は、ステップＳ３０４の後の参照信号の送信が予定されたタイミングに対応する第２の測定結果を除外する。これにより、ｅＮＢ２００は、適切な測定結果を取得できる。
【０１１５】
（第４実施形態の変更例）
次に、第４実施形態の変更例に係る動作について、図１０を用いて説明する。図１０は、第４実施形態の変更例に係る動作を説明するための図である。上述した各実施形態と同様の部分は、説明を適宜省略する。
【０１１６】
第４実施形態の変更例では、ＵＥ１００は、参照信号に対する測定結果だけでなく、干渉電力の測定結果をｅＮＢ２００に報告する。ｅＮＢ２００は、干渉電力の測定結果に基づいて、ＵＥ１００へ送信するデータのＭＣＳ（送信レート、エラー耐性）を決定する。
【０１１７】
図１０（Ａ）に示すように、ＵＥ１００−１の近傍には、第１の無線通信装置（ＷＴ４００−１）が存在し、ＵＥ１００−２及びｅＮＢ２００の近傍には、第２の無線通信装置（ＷＴ４００−２）が存在する。ＷＴ４００−１及びＷＴ４００−２は、アンライセンスド帯域における特定周波数において無線信号を送信する（図１０（Ｂ）参照）。
【０１１８】
また、ｅＮＢ２００は、参照信号の送信予定タイミングに関する第１の設定情報を送信する。各ＵＥ１００（ＵＥ１００−１及びＵＥ１００−２）は、参照信号の送信予定タイミングに関する第１の設定情報を受信する。各ＵＥ１００は、第１の設定情報に基づいて、参照信号の送信予定タイミングで特定周波数における参照信号に対する測定を行う。
【０１１９】
さらに、ｅＮＢ２００は、各ＵＥ１００に対して干渉電力の測定を実行させるための第２の設定情報を各ＵＥ１００に送信する。この第２の設定情報は、アンライセンスド帯域内の特定周波数における干渉電力の測定をｅＮＢ２００と同じタイミングでＵＥ１００に実行させるための情報を含む。各ＵＥ１００は、第２の設定情報に基づいて、ｅＮＢ２００と同じタイミングで干渉電力の測定を行う。なお、各ＵＥ１００は、第２の設定情報を受信しない場合であっても、第１の設定情報に基づいて、ｅＮＢ２００が干渉電力を測定するタイミングを推測してもよい。
【０１２０】
図１０（Ｂ）に示すように、ｔ１において、ＷＴ４００−１は、特定周波数において無線信号の送信を行っている。ｔ２において、ＷＴ４００−２は、特定周波数において無線信号の送信を行っている。
【０１２１】
ｔ１において、ｅＮＢ２００及び各ＵＥ１００は、同じタイミングで干渉電力の測定を行う。ｅＮＢ２００は、ＷＴ４００−１から遠いため、ｅＮＢ２００における干渉電力が閾値未満である。その結果、ｅＮＢ２００は、参照信号を送信すると決定する。
【０１２２】
次に、ｅＮＢ２００は、特定周波数において参照信号を送信する。各ＵＥ１００は、特定周波数における測定を行う。ＵＥ１００−１の測定結果は、ＷＴ４００−１からの干渉を受けた測定結果である。
【０１２３】
ｔ２において、ｅＮＢ２００及びＵＥ１００は、同じタイミングで干渉電力の測定を行う。ｅＮＢ２００は、ＷＴ４００−２から近いため、ｅＮＢ２００における干渉電力が閾値以上である。その結果、ｅＮＢ２００は、参照信号を送信しないと決定する。ｅＮＢ２００が参照信号を送信しないが、各ＵＥ１００は、特定周波数における測定を行う。ＵＥ１００−２の測定結果は、ＷＴ４００−２からの干渉を受けた測定結果である。
【０１２４】
ｔ３において、各ＵＥ１００は、参照信号に対する測定結果（ＤＲＳ結果）だけでなく、干渉電力の測定結果（ＣＣＡ結果）もｅＮＢ２００に報告する。ｅＮＢ２００は、第１の測定結果及び第２の測定結果を受信（取得）する。
【０１２５】
ｔ４において、ｅＮＢ２００は、干渉電力の測定を行う。ｅＮＢ２００における干渉電力が閾値未満である。その結果、ｅＮＢ２００は、ｔ１と同様にｅＮＢ２００において干渉を受けていないと判断する。ｅＮＢ２００は、ＵＥ１００へデータを送信すると決定する。
【０１２６】
ｅＮＢ２００は、ＵＥ１００からのＤＲＳ結果が第１閾値よりも大きい場合、当該ＤＲＳ結果の送信元のＵＥ１００の近くに干渉源が存在すると判断する。その結果、ｅＮＢ２００は、当該ＵＥ１００への送信データのエラー耐性を高くする。第１閾値は、ｅＮＢ２００が干渉の検出に用いる閾値であってもよいし、ｅＮＢ２００が送信した参照信号（ＤＲＳ）の送信電力に対応する閾値であってもよい。
【０１２７】
一方、ｅＮＢ２００は、ＵＥ１００からのＣＣＡ結果が第２閾値（例えば、第１閾値よりも低い閾値）よりも小さい場合、当該第１の測定結果の送信元のＵＥ１００の近くに干渉源が存在しないと判断する。その結果、ｅＮＢ２００は、当該ＵＥ１００への送信データのエラー耐性を低くする。
【０１２８】
さらに、ｅＮＢ２００は、データを送信する直前の自局におけるＣＣＡ結果と、自局における過去のＣＣＡ結果（例えば、参照信号を送信する直前のＣＣＡ結果）とを比較して、送信データのエラー耐性を決定することができる。ｅＮＢ２００は、例えば、以下のようにエラー耐性（ＭＣＳ）を決定する。
【０１２９】
ｅＮＢ２００は、ＵＥ１００−１からのＣＣＡ結果に基づいて、ｔ１においてＵＥ１００−１が干渉を受けていたと判断する。また、ｅＮＢ２００は、ｔ１において、ｅＮＢ２００は干渉を受けていないにもかかわらず、ＵＥ１００−１が干渉を受けている。このため、ｅＮＢ２００は、ｔ４において干渉を受けていないが、ＵＥ１００−１がｔ４において干渉を受ける可能性があると判断する。そこで、ｅＮＢ２００は、ＵＥ１００−１からのｔ１におけるＤＲＳ結果に基づいて、ＵＥ１００−１への送信データに対するＭＣＳを、エラー耐性の高いＭＣＳに決定する。
【０１３０】
或いは、ｅＮＢ２００は、ＵＥ１００−１が干渉を受けていないＣＣＡ結果（又はＤＲＳ結果）に基づいて、エラー耐性を決定する。ここで、ｅＮＢ２００は、ｔ２において、参照信号（ＤＲＳ）を送信していない。このため、ｅＮＢ２００は、通常、ＵＥ１００−１からのｔ２におけるＤＲＳ結果に基づいてエラー耐性（ＭＣＳ）を決定しない。一方で、ＵＥ１００−１からのＣＣＡ結果から、ｅＮＢ２００が干渉を受けている時にＵＥ１００−１は干渉を受けていないことを知る。
【０１３１】
一方、ｅＮＢ２００は、ｔ１におけるＣＣＡ結果から、ｔ１において、ｅＮＢ２００と同様に、ＵＥ１００−２が干渉を受けていないと判断する。このため、ｅＮＢ２００は、ｔ４において干渉を受けていないので、ｔ４においてＵＥ１００−２が干渉を受ける可能性が低いと判断する。これにより、ｅＮＢ２００は、ｔ１におけるＤＲＳ結果に基づいて、ＵＥ１００−２への送信データに対するＭＣＳ（を、送信レートの高いＭＣＳ（エラー耐性の低いＭＣＳ）に決定する。
【０１３２】
このケースにおいて、ｅＮＢ２００は、ｔ４において、ＵＥ１００−１及びＵＥ１００−２の一方にのみデータを送信する場合には、例えば、干渉を受ける可能性が低いＵＥ１００−２にデータを（優先的に）送信すると決定できる。
【０１３３】
なお、仮に、ｅＮＢ２００において、ｔ４におけるＣＣＡ結果が、ｔ１におけるＣＣＡ結果よりも大きく、且つ、ｔ２におけるＣＣＡ結果よりも小さい（ｔ２結果＞ｔ４結果＞ｔ１結果）というケースを想定する。この場合、ｅＮＢ２００は、ＵＥ１００−２からのＣＣＡ結果に基づいて、ＵＥ１００−２がｅＮＢ２００と同様に干渉を受けていると判断する。従って、ｅＮＢ２００は、ｔ４におけるｅＮＢ２００のＣＣＡ結果に基づいて、ｔ４においてＵＥ１００−２が干渉を受けている可能性が高いと判断する。ｅＮＢ２００は、ｔ４におけるＵＥ１００−２への送信データに適用するＭＣＳをエラー耐性の高いＭＣＳに決定する。
【０１３４】
一方、ｅＮＢ２００は、ＵＥ１００−１からのｔ２におけるＣＣＡ結果に基づいて、ＵＥ１００−１がｅＮＢ２００と同様に干渉を受けていないと判断する。従って、ｅＮＢ２００は、ｔ４におけるｅＮＢ２００のＣＣＡ結果に基づいて、ｔ４においてＵＥ１００−１が干渉を受ける可能性が低いと判断する。ｅＮＢ２００は、ＵＥ１００−２への送信データに適用するＭＣＳを伝送レートが高いＭＣＳに決定する。
【０１３５】
このケースにおいて、ｅＮＢ２００は、ｔ４において、ＵＥ１００−１及びＵＥ１００−２の一方にのみデータを送信する場合には、例えば、干渉を受ける可能性が低いＵＥ１００−１にデータを（優先的に）送信すると決定できる。
【０１３６】
このように、ｅＮＢ２００は、ｅＮＢ２００におけるＣＣＡ結果（特に、ＵＥ１００へのデータ送信の直前のＣＣＡ結果）と、各ＵＥ１００のＤＲＳ結果及びＣＣＡ結果とに基づいて、データの送信先となるＵＥ１００及びＭＣＳを決定できる。
【０１３７】
［その他の実施形態］
上述した各実施形態では、ＵＥ１００が、測定結果をｅＮＢ２００に報告するケースを説明したが、これに限られない。ＵＥ１００は、ｅＮＢ２００から参照信号が送信されていないタイミングに対応する測定結果が除外された有効性の高い測定結果に基づいて、所定の判定を行ってもよい。例えば、ＵＥ１００は、有効性の高い測定結果に基づいて、アンライセンスドセルの通信環境に関する判定を行うことができる。
【０１３８】
上述した実施形態では、移動通信システムの一例としてＬＴＥシステムを説明したが、ＬＴＥシステムに限定されるものではなく、ＬＴＥシステム以外のシステムに本出願の内容を適用してもよい。
【０１３９】
［付記］
（１）導入
この付記では、ＬＡＡ  ＲＲＭ測定のための参照信号のデザインを述べる。参照信号へのアプローチを考慮した他の機能性についての見解も提供する。
【０１４０】
（２）ＲＲＭ測定のための参照信号のデザイン
Ｒｅｌ−１２  ＤＲＳが、アンライセンスド帯域でのＲＲＭ測定において用いられる参照信号のデザインのための出発点であることが合意された。Ｒｅｌ−１２ＤＲＳデザインに基づいて、ｅＮＢは、例外なく、一定の間隔でＰＳＳ／ＳＳＳ／ＣＲＳ（及びＣＳＩ−ＲＳ）を送信することが要求される。それは、ｅＮＢは、ＤＲＳを送信するために割り当てられたライセンスド帯域のリソースを使用するので、問題なく達成することができる。しかしながら、ライセンスド帯域とは対照的に、１より多い無線システム／ノードは、アンライセンスド帯域を共有することができるだろう。アンライセンスド帯域を共有することに加えて、各システムは、一部の国／地域で要求される衝突を回避するためにＬＢＴ（Ｌｉｓｔｅｎ  Ｂｅｆｏｒ  Ｔａｌｋ）を使用する。従って、ＤＲＳは、我々の見解では、ＤＲＳがアンライセンスド帯域で送信された場合、ＬＢＴが必要である。
【０１４１】
一つのデザインの観点は、ＬＢＴは必須機能であるべきか否かを検討することである。ＬＢＴは、ＥＵと日本では必須の機能であるが、ＥＵ規制は、信号の存在のための周波数を検知することなく、管理及び制御フレームの送信、すなわち、短時間制御シグナリング送信（Ｓｈｏｒｔ  Ｃｏｎｔｒｏｌ  Ｓｉｇｎａｌｌｉｎｇ  Ｔｒａｎｓｍｉｓｓｉｏｎ）を許可する。ＥＵ規制によれば、適応型機器の短時間制御シグナリング送信は、５０ミリ秒の観察期間内に最大１０％の負荷サイクルを有するべきである。上記の要件に基づいて、ＤＲＳ送信が条件を満たす場合、ＬＴＥ  ｅＮＢは、ＬＢＴを実行せずにアンライセンスド帯域でＤＲＳを送信することができる。しかしながら、他のシステムとの公正な共存を取得し、衝突を回避するのに役立つので、ＬＢＴが義務付けられるべきである。ＬＢＴの義務付けは、また、シンプルなデザインと見なされ、かつ、ＬＡＡが展開されると予想されるすべての地域のための１つの汎用ソリューションを提供することができるだろう。
【０１４２】
提案１：提言1：ＬＡＡのＤＲＳ送信ベースのＲｅｌ−１２  ＤＲＳにＬＢＴ機能性を適用することに同意すべきである。
【０１４３】
提案１が合意事項として認められる場合、ＬＢＴ機能性は、使用中チャネル（ｂｕｓｙ  ｃｈａｎｎｅｌ）が検出された場合、ｅＮＢがそのＤＲＳをアンライセンスド帯域で送信することを許可しない（図１０参照）。結果として、ｅＮＢがＤＲＳの送信機会のいくつかの間にＤＲＳを送信していない場合には、測定の精度要件を満たさないかもしれない。ＲＳＲＰ測定の現在の定義によれば、ＵＥは、発見信号機会として設定されるサブフレーム内のＲＳＲＰを測定しなければならない。これは、ＵＥが設定された無線リソースを監視しなければならず、かつ、ＤＲＳがこれらのリソースで実際に送信されたかどうかにかかわらず最終的な測定結果にＵＥがこれらのリソース結果を含めるかもしれないことを意味する。さらに、ＲＳＲＰを決定するためにＵＥが使用する測定周波数帯内及び測定期間内のリソースエレメントの数は、対応する測定精度の要件が満たされなければならない制約を持つＵＥの実装に任されている。従って、報告されたＲＳＲＰが非常に不正確になる可能性がある。ＲＳＲＰ測定に基づくＵＥの実装とｅＮＢのＬＢＴ機能性が原因であるいくつかのＤＲＳ送信の利用できないこととの組み合わせは、ＵＥがｅＮＢに正確なアンライセンスド帯域の正確な無線環境情報を提供することができないという問題をもたらす。
【０１４４】
上述の課題は、ＲＡＮ４で解決しなければならないと考える。１つのアプローチは、ＲＡＮ１が、現在の測定正確要件が既存の仕様によって満足するかどうかを確かめるための調査を実行するために、要求ＬＳをＲＡＮ４へ送ることである。現在の仕様が正確な要件を満たさないケースでは、新たな解決策を検討することができる。以下に候補の選択肢がいくつかある。
【０１４５】
選択肢１：ｅＮＢがライセンスド帯域でＤＲＳ測定指示をブロードキャスト／ユニキャストする。
【０１４６】
この選択肢では、ｅＮＢは、サブフレームのＲＳＲＰが計算されるべき条件について、ＵＥにライセンスド帯域を介して通知する。ＲＳＲＰの計算の間、アンライセンスド帯域でのＲＳＲＰ測定条件についてｅＮＢから提供された情報に従って、ＵＥがＤＲＳ測定を採用及び修正することが期待される。ｅＮＢがこの情報をＵＥへいつ及びどのように提供できるかはさらなる課題である。
【０１４７】
選択肢２：ＬＡＡのためのＲＳＲＰ測定に基づく（ＤＲＳに含まれる）ＣＲＳを規定すること。
【０１４８】
この選択肢２では、ＲＳＲＰを決定するために、ＵＥがＤＲＳ測定を実行する方法にいくつかの制約が適用される。例えば、ＵＥは、１ＤＲＳバースト毎に１つの測定結果を送るべきである。ｅＮＢは、どのＤＲＳがアンライセンスド帯域で送信されたかを認識しているので、当該ｅＮＢは、特定のＵＥから受信した測定報告が信頼できるかできないかを決定できる（図１１参照）。
【０１４９】
提案２：提案１が合意事項として認められる場合、ＲＡＮ１が、現在の測定正確要件が既存の仕様によって満足するかどうかを要求するＬＳをＲＡＮ４へ送るべきである。
【０１５０】
（３）ＬＡＡのための機能性の分析
ＲＲＭ測定とは異なり、他の機能性をサポートするための参照信号は、扱われなかった。もし提案１が合意事項として認められる場合、ＬＢＴを伴うＲｅｌ−１２  ＤＲＳも同様に、他の機能性のための出発点であるべきである。ＡＧＣ（Ａｕｔｏｍａｔｉｃ  Ｇａｉｎ  Ｃｏｎｔｒｏｌ）設定、粗い同期及びＣＳＩ測定は、ＬＡＡのために上記のＤＲＳを使用して実行できると考える。これは、ベースライン解決策であるだろう。しかしながら、ｅＮＢが、ＤＲＳの送信機会のいくつかの間のどこかでＤＲＳを送信しないケースのために更なる研究が必要とされる。前で説明したように、この状況は、ＲＲＭ測定に似ている。
【０１５１】
一方、ｅＮＢが、現在仕様化された最大ＤＲＳ間隔よりもＤＲＳを送信できない場合、少なくとも復調用の細かい周波数／時間推定はできない可能性がある。既存の仕様は、１６０ｍｓｅｃよりも長いＤＲＳ間隔を保証できない。この課題が次の章で考察される。
【０１５２】
提案３：ＬＢＴを伴うＲｅｌ−１２  ＤＲＳに基づくＬＡＡ  ＤＲＳも、ＡＧＣ設定、粗い同期及びＣＳＩ測定に使用されるべきである。
【０１５３】
（４）同期信号デザイン
上述の通り、送信に基づくＬＢＴは、様々な国／地域でアンライセンスド帯域において必要とされる。従って、ｅＮＢが、同じ帯域を共有する隣接ノードによる他の送信の存在が原因で、長期間、アンライセンスド帯域でＤＲＳを伝送することができない可能性がある。一つのアプローチは、２つのＤＲＳ送信の間の期間に関する固定上限、例えば１６０ｍｓｅｃを設定することである。ｅＮＢが、ＤＲＳを上限よりも長い時間を送信できない場合、細かい周波数／時間推定が保証されないと想定されるべきである。しかしながら、干渉が原因でＵＥが正確なＤＲＳ送信のいくつかを検出／デコードできない可能性もある。この状況は、ＤＲＳ送信に加えて、データ送信の中に他の同期信号を提供することを検討することを強制する。一つの解決策は、ｅＮＢは、データ領域（例えば、サブフレームの最初のシンボル）の前に位置するシンボルで同期信号（ＬＡＡシンク（ＬＡＡ  ｓｙｎｃ））を送信する（図１２参照）。このアプローチは、Ｄ２Ｄ同期信号デザインに非常に類似している。そのケースでは、ＵＥは、ＤＲＳを用いて粗い同期を実現し、上記ＬＡＡシンクを用いて細かい周波数／時間推定を実現する。この解決策が適用される場合、ＬＡＡシンクがＵＥで受信された最初のサブフレーム内のデータ領域の次に配置されているので、ＡＧＣ設定は、ＤＲＳの代わりに、ＬＡＡシンクに基づいて行われる。
【０１５４】
現在の物理制御チャネル領域がＬＡＡシンクにより置き換わるべきであることを提案する。物理制御チャネルを送信するために使用されるリソースエレメントの数は、例えば、サブフレームにスケジュールされたＵＥの数に応じて変更される。低交通状況のケースでは、物理制御チャネル領域が十分に占有されていない可能性があり、低リソースエレメント密度及び近隣ノードによってより高い誤検出という結果になるＯＦＤＭシンボルにわたる結果的な低送信電力をもたらす。近隣ノードがそれぞれの送信のためにチャネルが利用可能であると仮定する可能性があるので、これは、衝突をもたらす。衝突を回避するために、物理制御チャネルはアンライセンスド帯域送信から取り除くべきであり、代わりとして、ＬＡＡシンクが送信されるべきであることを提案する。どのようにＬＡＡシンクがデータ領域の直前にマッピングされるかさらなる研究が必要とされる。
【０１５５】
提案４：現在の物理制御チャネル領域は、このＬＡＡシンクに置き換えるべきである。
【０１５６】
なお、米国仮出願第６２／１０９８５０号（２０１５年１月３０日出願）の全内容が、参照により、本願明細書に組み込まれている。
【図１】
2019062542.tif 000003
【図２】
2019062542.tif 000004
【図３】
2019062542.tif 000005
【図４】
2019062542.tif 000006
【図５】
2019062542.tif 000007
【図６】
2019062542.tif 000008
【図７】
2019062542.tif 000009
【図８】
2019062542.tif 000010
【図９】
2019062542.tif 000011
【図１０】
2019062542.tif 000012
【図１１】
2019062542.tif 000013
【図１２】
2019062542.tif 000014
【図１３】
2019062542.tif 000015